(57)【要約】【課題】排水口に目の無い排水蓋を被着しても、洗い場の浴水の排水口へのスムーズな排水を確保できる浴室の洗い場の排水構造を提供する。【解決手段】  洗い場１に浴水を排水する排水口２を設ける。洗い場１の床面３を排水口２から洗い場１の外縁に至る断面山状の稜線部４で複数の面部５に区分けする。各面部５にそれぞれ排水口２に向けて下り傾斜する水勾配６を形成する。排水口２に目の無い排水蓋７を被着する。排水蓋７における排水口２の稜線部４が至る部位の対応箇所にスペーサ部８を側方に突設する。スペーサ部８を排水口２の稜線部４が至る部位における内側面に当接する。【選択図】図１
2008133618.tif 000002
【特許請求の範囲】
【請求項１】
洗い場に浴水を排水する排水口を設け、洗い場の床面を排水口から洗い場の外縁に至る断面山状の稜線部で複数の面部に区分けし、各面部にそれぞれ排水口に向けて下り傾斜する水勾配を形成し、排水口に目の無い排水蓋を被着し、排水蓋における排水口の稜線部が至る部位の対応箇所にスペーサ部を側方に突設し、このスペーサ部を排水口の稜線部が至る部位における内側面に当接して成ることを特徴とする浴室の洗い場の排水構造。
【請求項２】
排水口及び排水蓋を平面視矩形状に形成し、排水蓋の四隅の角部にスペーサ部をそれぞれ設けると共に、各スペーサ部を排水口の四隅の角部の内側面にそれぞれ当接して成ることを特徴とする請求項１記載の浴室の洗い場の排水構造。
【発明の詳細な説明】
【技術分野】
【０００１】
本発明は、浴室の洗い場の排水構造に関するものである。
【背景技術】
【０００２】
従来から、浴室の洗い場で使用した浴水は、洗い場の床面に施した水勾配にて洗い場に設けた排水口に集められて排水されるようになっている。ここで、排水口がそのまま浴室外観に露出されると浴室の外観を悪くするため、近年ではたとえば特許文献１のように、排水口を目隠しできる目の無い排水蓋を排水口に被着することが行われている。詳しくは、排水蓋は平面視で排水口よりも一回り小さく形成されるのであり、排水蓋の側面と排水口の内側面と間にできる隙間から洗い場からの浴水を流して排水させるようになっている。
【０００３】
しかしながら、排水蓋が排水口内の偏った位置に配置された場合には、排水蓋の側面と排水口の内側面との間の隙間が小さくなったり隙間ができない箇所ができ、この箇所では浴水の排水口内への流れ込みが滞ってしまい、洗い場の床面の水勾配で集水された浴水が排水口近傍で洗い場の床面に溢れてしまう、といった問題があった。
【特許文献１】特開平７−１８９３１０号公報
【発明の開示】
【発明が解決しようとする課題】
【０００４】
本発明は上記の点に鑑みてなされたものであり、その目的とするところは、排水口に目の無い排水蓋を被着しても、洗い場の浴水の排水口へのスムーズな排水を確保できる浴室の洗い場の排水構造を提供することを課題とするものである。
【課題を解決するための手段】
【０００５】
上記課題を解決するために請求項１に係る浴室の洗い場の排水構造にあっては、洗い場１に浴水を排水する排水口２を設け、洗い場１の床面３を排水口２から洗い場１の外縁に至る断面山状の稜線部４で複数の面部５に区分けし、各面部５にそれぞれ排水口２に向けて下り傾斜する水勾配６を形成し、排水口２に目の無い排水蓋７を被着し、排水蓋７における排水口２の稜線部４が至る部位の対応箇所にスペーサ部８を側方に突設し、このスペーサ部８を排水口２の稜線部４が至る部位における内側面に当接して成ることを特徴とする。これによると、洗い場１で使用した浴水は稜線部４で区分けされた各面部５の水勾配６によって排水口２の稜線部４が至らない部位に流れるのであり、ここで、目の無い排水蓋７は排水口２の稜線部４が至る部位でスペーサ部８を介して排水口２に被着されるのであって、つまり排水口２の稜線部４が至らない部位では排水蓋７の側面と排水口２の内側面との間には確実に隙間Ｓを形成することができるのであり、上記稜線部４や水勾配６にて集められた洗い場１の浴水をこの隙間Ｓを介して排水口２に滞り無く流すことができる。すなわち、排水口２に目の無い排水蓋７を被着しても、従来のように排水蓋７が洗い場１の浴水の排水口２への排水を阻害してしまうことが無く、洗い場１の浴水の排水口２へのスムーズな排水を確保できたものである。
【０００６】
また、請求項２に係る浴室の洗い場の排水構造にあっては、請求項１において、排水口２及び排水蓋７を平面視矩形状に形成し、排水蓋７の四隅の角部７ａにスペーサ部８をそれぞれ設けると共に、各スペーサ部８を排水口２の四隅の角部２ａの内側面にそれぞれ当接して成ることを特徴とする。これによると、排水蓋７を排水口２内にがたつき無く収納配置できる。
【発明の効果】
【０００７】
本発明にあっては、排水口に目の無い排水蓋を被着しても、洗い場の浴水の排水口へのスムーズな排水を確保できる、といった利点を有する。
【発明を実施するための最良の形態】
【０００８】
以下、本発明を添付図面に示す実施形態に基いて説明する。
【０００９】
本例の浴室Ａの床は、図３のように、浴槽１１を載設する浴槽床パン１２と洗い場１を構成する洗い場床パン１０とを連設させて形成されている。洗い場床パン１０は平面視略矩形状で、洗い場１の床面３の外縁には水返しとなると共に壁パネル等を載設するための立上り部１３が形成されており、この洗い場１の床面３の浴槽側の端部には浴水を排水させるための排水口２が形成されている。
【００１０】
ここで、洗い場１の床面３は排水口２から床面３の外縁に至る断面山状の稜線部４で複数の面部５に区分けされ、各面部５にはそれぞれ排水口２に向けて下り傾斜する水勾配６が形成されている。すなわち、洗い場１で使用した浴水（洗い場１の床面３に落ちた浴水）は、分水嶺となる稜線部４から各面部５に分けられて流れた（矢印Ａ）後に、各面部５の水勾配６によって排水口２の稜線部４が至らない部位に向かって流れるようになっている（矢印Ｂ）。
【００１１】
また、排水口２は床面３から一段下方へ凹没した凹所１４の底面に円孔状の排水孔１５が穿設されており、この排水孔１５は床下に延びる排水経路に排水トラップを介して接続されている。排水口２には排水蓋７が被着される。本例では排水口２及び排水蓋７はそれぞれ上面視矩形状に形成されており、排水口２の浴槽側と反対側の２つの角部２ａに対し、洗い場１における浴槽側と反対側の２つの角部１ａにそれぞれ端を発した直線状の稜線部４が各々至るようにされている。
【００１２】
排水蓋７は、図２のように目（貫通箇所）の無い蓋板部１８から複数のゴム製の脚部１９が垂設されると共に、排水口２の稜線部４が至る部位に対応する箇所（本例では角部７ａ）に側方に突出するスペーサ部８を形成している。蓋板部１８は上面に周縁に向かう水勾配２０ａが形成された上面壁部２０の外周縁から垂下壁部２１を垂設して成り、スペーサ部８は各角部７ａに跨るようにして垂下壁部２１から側方に突出形成されている。蓋板部１８は上面視で排水口２より一回り小さく形成されると共に、スペーサ部８の突出端が排水口２（凹所１４）の内側面に当接する寸法に形成されている。垂下壁部２１において排水口２の稜線部４が至る部位に対応しない箇所（本例では角部７ａ以外の箇所）には排水用の切欠２２が形成され、また、上面壁部２０の下面には対向する垂下壁部２１の間に亙るような格子状の補強リブ２３が形成されて排水蓋７の剛性が高められている。無論、蓋板部１８の上面壁部２０は洗い場１の床面３と同じ意匠に施されており、排水口２に排水蓋７を被着した際には外観的にあたかも排水蓋７を含めた部位が洗い場を構成するようになって広い洗い場を現出する。
【００１３】
この排水蓋７は、図１のように、脚部１９を凹所１４の底面に載置して蓋板部１８で排水孔１５を目隠するようにして排水口２に被着されるのであるが、このときにはゴム製の脚部１９にてガタツキが防止された上で、スペーサ部８の突出端が凹所１４の内側面に当接して排水蓋７は凹所１４内の所定位置に収納される。本例では、スペーサ部８は排水蓋７の四周（詳しくは排水蓋７の四隅の角部７ａ）に各々形成され、各スペーサ部８が対応する排水口２の内側面（詳しくは排水口２の四隅の角部２ａの内側面）にそれぞれ当接しているので、排水蓋７は排水口２内で水平方向にもガタツキが防止されて配設されるようになっている。そしてこの状態では、排水蓋７の側面（蓋板部１８の側面）と排水口２の内側面（凹所１４の内側面）との間には、スペーサ部８の排水口２の内側面への当接部位を除いて、洗い場１の床面３から至る浴水を流すための隙間Ｓが形成されるようになっている。つまり、排水口２の稜線部４が至る部位にはその内側面に排水蓋７のスペーサ部８が当接しており、排水口２の稜線部４が至らない部位ではその内側面と排水蓋７の側面との間に上記隙間Ｓが形成されており、この隙間Ｓは上記垂下壁部２１の切欠２２を介して排水孔１５に通ずるようになっている。したがって、稜線部４から各面部５に分けられて各面部５の水勾配６によって排水口２の稜線部４が至らない部位に向けて流れた洗い場１で使用した浴水は、排水口２の稜線部４が至らない部位に存在する凹所１４の内側面と排水蓋７の側面との間の隙間Ｓから凹所１４の底面に向かってスムーズに流れ込み、続けてこの浴水は排水蓋７の切欠２２を介して排水孔１５、ひいては排水経路にスムーズに至って排水されるようになっている。
【００１４】
このように、洗い場１の床面３を排水口２から洗い場１の外縁に至る断面山状の稜線部４で複数の面部５に区分けすると共に各面部５にそれぞれ排水口２に向けて下り傾斜する水勾配６を形成したので、洗い場１の浴水を稜線部４、各面部５を経て排水口２の稜線部４が至らない部位に流れ込ませることができ、そして、排水口２に被着する目の無い排水蓋７には排水口２の稜線部４が至る部位の対応箇所にスペーサ部８を側方に突設し、このスペーサ部８を排水口２の稜線部４が至る部位における内側面に当接させて上記排水蓋７を排水口２に被着させたので、排水口２の稜線部４が至らない部位では排水蓋７の側面と排水口２の内側面との間には排水口２に浴水を流すための隙間Ｓを確実に形成することができたものであり、つまり従来のように排水蓋７が洗い場１の浴水の排水口２への排水を阻害してしまうことが無く、洗い場１の浴水の排水口２へのスムーズな排水を確保できたのである。
【００１５】
上記実施形態では排水口２や排水蓋７は平面視矩形状であるが平面視円形状等の任意の形状に形成してもよく、また、排水口２の設置位置は洗い場１の床面３の任意位置でもよく、また稜線部４が至る排水口２の箇所は角部７ａに限られず排水口２の縁部の任意位置に設定してもよい。
【図面の簡単な説明】
【００１６】
【図１】本発明の実施の形態の例であり、（ａ）は洗い場の排水口近傍の平面図であり、（ｂ）は（ａ）の側断面面図である。
【図２】同上の排水蓋であり、（ａ）は上面図であり、（ｂ）は一部を切り欠いた側面図であり、（ｃ）は下面図である。
【図３】同上の浴室の床の平面図である。
【符号の説明】
【００１７】
１  洗い場
２  排水口
３  床面
４  稜線部
５  面部
６  水勾配
７  排水蓋
８  スペーサ部
Ｓ  隙間
【図１】
2008133618.tif 000003
【図２】
2008133618.tif 000004
【図３】
2008133618.tif 000005